(57)【要約】【課題】サービス時に前面パネルおよび両側面パネルを取り外すことなく、天面パネルを外すだけで、制御基板と冷却フィンを上方に取り出し可能することができる空気調和機の室外ユニットを得る。  【解決手段】ケーシング内に圧縮機１２、熱交換器１３、送風機及び電装品ユニット２２を備え、電装品ユニット２２は、制御素子及びこの制御素子を冷却する冷却フィン６が搭載された制御用基板５と、ケーシングの天面パネル１の内側に対向して設けられ、制御基板５の周縁端部を上方向に取り出し可能に支持する基板ホルダー４とを備え、基板ホルダー４は、制御基板５の周縁端部を固定する勘合爪５ｂを有する枠体４ｄと、枠体４ｄに設けられ制御基板５を下方から支持する支持部４ｃとを備えている。【選択図】図１
2006145118.tif 000002
【特許請求の範囲】
【請求項１】
ケーシング内に圧縮機、熱交換器、送風機及び電装品ユニットを有する室外ユニットにおいて、
前記電装品ユニットは、制御素子及びこの制御素子を冷却する冷却フィンが搭載された制御用基板と、
前記ケーシングの天面パネルの内側に対向して設けられ、前記制御基板の周縁端部を上方向に取り出し可能に支持する基板ホルダーと、
を備えたことを特徴とする空気調和機の室外ユニット。
【請求項２】
前記冷却フィンの前記制御基板への組付け方向を、上方からの一方向のみとしたことを特徴とする請求項１記載の空気調和機の室外ユニット。
【請求項３】
前記基板ホルダーは、前記制御基板の周縁端部を固定する勘合爪を有する枠体と、
この枠体に設けられ前記制御基板を下方から支持する支持部と、
を備えたことを特徴とする請求項１または２記載の空気調和機の室外ユニット。
【請求項４】
前記基板ホルダーの上面を覆う基板カバーを備えたことを特徴とする請求項１〜３のいずれかに記載の空気調和機の室外ユニット。
【発明の詳細な説明】
【技術分野】
【０００１】
この発明は、空気調和機の室外ユニットに係り、特に、電装品のメンテナンス性を向上させた空気調和機の室外ユニットに関するものである。
【背景技術】
【０００２】
従来のセパレート型空気調和機の室外ユニットでは、室外ユニットの上方向より見て手前側にＵ字型に曲げた熱交換器の両端板にフランジ穴を設け、フランジ穴へ電装品収納箱をネジにて取り付けられるようにし、電装品収納箱の取り付け方向を前面からのみにて行えるようにし、組立性、サービス性（メンテナンス性）を向上させたものが示されている（例えば、特許文献１参照）。
【０００３】
【特許文献１】特開平５−１３３５６９号公報（段落００３２〜００２６、図１、図２）
【発明の開示】
【発明が解決しようとする課題】
【０００４】
従来の空気調和機の室外ユニットは、電装品のサービスを前面のみから行えるようにしているが、前面及び天面の外装板を外さなければならなず、また、電装品収納箱をすべてをスライドさせて引き出した後に、制御基板、冷却フィンを取り出すため、作業工数が多く、作業がしにくい等の問題点があった。また、一般に、前面はネジが多く、側面も接続配管等で作業がしにくいという問題点があった。
【０００５】
この発明は、上記のように課題を解決するためになされたもので、第１の目的はサービス時に前面パネルおよび両側面パネルを取り外すことなく、天面パネルを外すだけで、制御基板と冷却フィンを上方に取り出し可能することができる空気調和機の室外ユニットを得るものである。
【０００６】
また、第２の目的は制御基板の基板ホルダーを外さずに、ネジレスで制御基板と冷却フィンが簡単に取り出すことができる空気調和機の室外ユニットを得るものである。
【課題を解決するための手段】
【０００７】
この発明に係る空気調和機の室外ユニットは、ケーシング内に圧縮機、熱交換器、送風機及び電装品ユニットを有する室外ユニットにおいて、前記電装品ユニットは、制御素子及びこの制御素子を冷却する冷却フィンが搭載された制御用基板と、前記ケーシングの天面パネルの内側に対向して設けられ、前記制御基板の周縁端部を上方向に取り出し可能に支持する基板ホルダーと、を備えたものである。
【発明の効果】
【０００８】
この発明において、電装品ユニットは、制御素子及びこの制御素子を冷却する冷却フィンが搭載された制御用基板と、前記ケーシングの天面パネルの内側に対向して設けられ、前記制御基板の周縁端部を上方向に取り出し可能に支持する基板ホルダーと、を備えたので、前面パネルを外す必要がなく、また、基板ホルダーを外さなくとも、制御基板、冷却フィンを上方に取り出すことができるため、サービス作業を簡単に行うことができる。
【発明を実施するための最良の形態】
【０００９】
図１はこの発明の実施の形態における空気調和機の室外ユニットの全体構成を示す分解斜視図、図２はこの発明の実施の形態における室外ユニットの電装品の取付け部分の構造を示す分解斜視図である。図３はこの発明の実施の形態における室外ユニットの電装品ユニットの分解斜視図、図４は電装品ユニットの斜視図である。
図１、図２において、空気調和機の室外ユニットは台板１０に圧縮機１２、熱交換器１３が取り付けられ、天面パネル１、前面パネル７、側面パネル８、背面パネル９、台板１０からなるケーシング内に、台板１０に取り付けられた圧縮機１２、熱交換器１３、送風機（図示せず）、電装品ユニット２２が設けられている。天面パネル１は固定ネジ２により側面パネル８に取り付けられ、圧縮機１２が設けられた側の機械室１７と送風機（図示せず）が設けられた側のファン室１６を仕切る横断面略Ｌ字形状の仕切板１１が台板１０に取り付けられている。
【００１０】
図３において、電装品ユニット２２においては、制御基板５を保持する基板ホルダー４に、電装品である制御基板５が保持され、制御基板５には制御素子５ａが冷却フィン６、サブ冷却フィン６ａにネジ５ｂで止められて一体となっており、また、サーミスタ、ファンモータ、四方弁コイル等（図示せず）のリード線１５が接続されているコネクタ８ａが取り付けられている。基板ホルダー４の上方は、基板カバー３で覆われ、下方は冷却フィン６を絶縁保護するプラスチックの冷却フィンホルダ２０とその下にリレーパネル２１が設けられている。
【００１１】
基板ホルダー４は、横向きに挿入される制御基板５の周縁端部を保持する枠体４ｄと、枠体４ｄの相対する内側には、制御基板５の周縁下部を支持する支持部４ｃ（片側のみ図示）が設けられ、また、枠体４ｄには、制御基板５の周縁端部を勘合固定する勘合爪４ｂが設けられている。また、枠体４ｄに、基板カバー３の周縁端部の内側を勘合固定する勘合爪４ａが設けられている。また、フランジ４ｊに取付穴４ｅ、取付板４ｆに取付穴４ｇが設けられている。
【００１２】
また、基板カバー３の上面には隙間ふさぎ部材１４が設けられ、電装品ユニット２２をを仕切板１１に後述のネジ１９で固定するときのドライバーの逃がし用の凹部３ａが設けられている。隙間ふさぎ部材１４は、空気の流れを遮るとともに天面パネル１により基板カバー３を押圧する機能があるが、基板カバー３を外すときのつまみともなる。
【００１３】
次に、電装品ユニット２２の組立について図２〜４により説明する。まず、制御基板５に制御素子５ａが冷却フィン６、サブ冷却フィン６ａを上方からの一方向のみでネジ５ｂで組み付ける。なお、サブ冷却フィン６ａは機種により使用しない場合がある。また、サーミスタ、ファンモータ、四方弁コイル等（図示せず）のリード線１５が接続されているコネクタ８ａを取り付ける。このリード線１５はリード線保持爪４ｈに固定される。
【００１４】
次に、制御基板５を基板ホルダー４の枠体４ｄ内に上方から装着する。このとき、制御基板５は支持部４ｃで下方から支持され、制御基板５の周縁端部は勘合爪４ｂで押圧され固定される。次に、冷却フィン６を冷却フィンホルダ２０で覆うようにして基板ホルダ４に組み付ける。そして、電装品ユニット２２の組立後の外観は図４に示すようになる。この電装品ユニット２２を図２に示すように、仕切板１１の上端部に載せ、基板ホルダー４のフランジ４ｊに設けられた取付穴４ｅ、取付板４ｆに設けられた取付穴４ｇを介して各々ネジ１９、１８で取り付ける。また、リレーパネル２１は冷却フィンホルダ２０の下になるようにして仕切板１１に勘合固定する。
【００１５】
次に、この発明の実施の形態の空気調和機の室外機のサービス時の制御基板５の取り外し手順について説明する。
まず、天面パネル１を固定ネジ２を外すことで取り外す。次に基板カバー３を勘合爪４ａを外すことにより、上方に取り出す。次に、勘合爪４ｂを外して、制御基板５と冷却フィン６を一体で上部に取り出す。この時、制御基板５にはサーミスタ、ファンモータ、四方弁コイル等のリード線１５が接続されているが、少し持ち上げれば、上面側より指を差し込み、コネクタ８ａを外すことで、リード線１５を取り外すことができる。
【００１６】
なお、電圧チック等のメンテナンスは、基板カバー３を外して行うが、制御基板５内の故障は、制御基板５の交換となり基板ホルダー４から取り出す必要がある。交換する制御基板５は冷却フィン６を制御基板５に取り付けたものをサービス部品として用意しておくのが望ましい。冷却フィン６を制御基板５に取り付けるとき、ネジ５ｂのトルク管理が必要であり、シリコン塗布作業等があるからである。
【００１７】
以上のように、制御基板５と基板ホルダー４、基板カバー３と基板ホルダー４の固定をそれぞれ勘合爪４ａ、４ｂのみで実施しているため、天面パネル１の取り外し以外は、ドライバーを使用しないですむので、非常に作業性がよく簡単である。また、前面パネル７の取り外しの必要もない。
【００１８】
また、冷却フィン６の制御基板５への組付け方向を、上方からの一方向のみとしたので、制御基板５のみ取り出すときは、天面パネル１、基板カバー３を取り外した後に、ネジ５ｂを上方から外して、制御基板５を取り出すことができる。
また、基板ホルダー４の上面を覆う基板カバー３を備えたので、制御基板５に埃や水滴から保護することができる。また、電装品ユニット２２を保管するときも埃や水滴から保護することができる。
【図面の簡単な説明】
【００１９】
【図１】この発明の実施の形態における空気調和機の室外ユニットの全体構成を示す分解斜視図である。
【図２】この発明の実施の形態における室外ユニットの電装品の取付け部分の構造を示す分解斜視図である。
【図３】この発明の実施の形態における室外ユニットの電装品ユニットの分解斜視図である。
【図４】この発明の実施の形態における室外ユニットの電装品ユニットの斜視図である。
【符号の説明】
【００２０】
１ 天面パネル、３ 基板カバー、４ 基板ホルダー、４ａ 勘合爪、４ｂ 勘合爪、４ｃ 支持部、４ｄ 枠体、５ 制御基板、５ａ 制御素子、６ 冷却フィン、６ａ サブ冷却フィン、１２ 圧縮機、１３ 熱交換器、２２ 電装品ユニット。
【図１】
2006145118.tif 000003
【図２】
2006145118.tif 000004
【図３】
2006145118.tif 000005
【図４】
2006145118.tif 000006